(57)【要約】【課題】低機能の廉価表示パネルが採用された印刷装置を用いて印刷する場合であっても、印刷ジョブに関する詳細な情報を携帯端末に表示させ、ユーザにとって印刷ジョブを認識し易くさせる。【解決手段】端末１が、外部接続されたＵＳＢメモリ４に印刷ジョブとジョブＩＤとを記憶させると共に、ＵＳＢメモリ４に記憶された印刷ジョブに関する印刷ジョブ特定情報をＵＳＢメモリ４および装置内部に設けられたメモリ１２に記憶させ、記憶媒体の接続が解除された場合に、メモリ１２に記憶された印刷ジョブ特定情報を携帯端末２に送信し、携帯端末２は、端末１から送信された印刷ジョブ特定情報を表示画面上に表示し、印刷装置３は、ＵＳＢメモリ４が接続された場合に、ＵＳＢメモリ４に記憶されたジョブＩＤを表示パネル１１０に表示することにある。【選択図】      図１
2015122028.tif 000002
【特許請求の範囲】
【請求項１】
印刷ジョブを生成するジョブ生成装置と、前記印刷ジョブに関する情報を表示する携帯端末と、前記生成された印刷ジョブに基づいて印刷する印刷部および所定情報量以下の情報を表示する表示パネルを有する印刷装置とを備えた印刷システムであって、
前記ジョブ生成装置は、
外部記憶媒体が接続された場合に、前記外部記憶媒体に、生成した複数の印刷ジョブと、各印刷ジョブを特定する印刷ジョブ特定情報のうち、少なくとも印刷ジョブＩＤを含む情報を記憶させ、前記外部記憶媒体の接続が解除された場合に、前記印刷ジョブ特定情報を前記携帯端末に送信し、
前記携帯端末は、
前記ジョブ生成装置から送信された前記印刷ジョブ特定情報を表示する表示画面を備え、
前記印刷装置は、
前記外部記憶媒体が接続された場合に、前記外部記憶媒体に記憶された各印刷ジョブＩＤのうち、印刷ジョブＩＤを切り替え可能に前記表示パネルに表示させ、所定の印刷ジョブＩＤの印刷指示に基づいて、前記外部記憶媒体に記憶された前記所定の印刷ジョブの印刷を前記印刷部に実行させる
ことを特徴とする印刷システム。
【発明の詳細な説明】
【技術分野】
【０００１】
本発明は、低機能の廉価表示パネルが採用された印刷装置を用いて印刷する場合であっても、印刷ジョブに関する詳細な情報を携帯端末に表示させ、ユーザにとって印刷ジョブを認識し易くさせる印刷システムに関する。
【背景技術】
【０００２】
従来、印刷ジョブを生成するパソコン等の端末装置と、端末装置により生成された印刷ジョブに基づいて印刷を行う印刷装置とを備えた印刷システムがある。
【０００３】
このような印刷システムでは、複数の印刷ジョブを受信した場合に、印刷ジョブを記憶し、この記憶された印刷ジョブに関する情報を印刷装置の表示パネル上に表示させている。
【０００４】
例えば、特許文献１には、ホスト機器と印刷装置とを備え、ホスト機器が、印刷データを印刷装置に送信する第１の送信手段と、印刷データのジョブリスト情報、及び登録ジョブ印刷データを印刷装置に送信する第２の送信手段とを有し、印刷装置が、第１の送信手段から送信される印刷データを受信する第１の受信手段と、第２の送信手段から送信されるジョブリスト情報、及び登録ジョブ印刷データを受信する第２の受信手段と、第２の受信手段から受信したジョブリスト情報、及び登録ジョブ印刷データに基づいて、印刷データのジョブ名やドキュメント名の情報と共に総印刷ページの情報などを含むジョブリストを作成し、オペレーションパネルに表示するジョブリスト作成・表示手段とを有する印刷システムに関する技術が提案されている。
【先行技術文献】
【特許文献】
【０００５】
【特許文献１】特開２０１２−１４３２５号公報
【発明の概要】
【発明が解決しようとする課題】
【０００６】
しかしながら、特許文献１に記載の印刷システムでは、印刷装置が、印刷データのジョブ名やドキュメント名の情報と共に総印刷ページの情報などを含むジョブリストを表示させる高精細高機能のオペレーションパネルを有するので、消費電力が大きく、また製造コストが高くなっていた。
【０００７】
昨今、消費電力を低減させる省エネ対策や、表示パネルの製造コストを低減させるために、印刷装置の表示パネルとして、いわゆる７セグ表示パネルなどと呼ばれる表示可能な文字数を少なくすることにより消費電力を低く抑え、製造コストを低減することができる低機能の廉価表示パネルが採用されることが多くなっている。
【０００８】
このような廉価表示パネルでは、数値やアルファベットで表すことができる印刷ジョブＩＤなどについては表示させることができるが、文字数や表示形式の制約により、印刷データのジョブ名やドキュメント名や総印刷ページの情報など詳細な印刷ジョブの情報を表示させることは非常に困難であった。
【０００９】
そのため、ユーザは、印刷装置の表示パネルから、印刷ジョブＩＤなど限られた情報しか認識することができず、詳細な印刷ジョブに関する情報を得ることができないので、どの印刷ジョブが表示されているのかを把握することが困難であった。
【００１０】
本発明はこのような課題に鑑みてなされたものであり、低機能の廉価表示パネルが採用された印刷装置を用いて印刷する場合であっても、印刷ジョブに関する詳細な情報を携帯端末に表示させ、ユーザにとって印刷ジョブを認識し易くさせる印刷システムを提供することを目的とする。
【課題を解決するための手段】
【００１１】
上記目的を達成するため、本発明に係る印刷システムの第１の特徴は、印刷ジョブを生成するジョブ生成装置と、前記印刷ジョブに関する情報を表示する携帯端末と、前記生成された印刷ジョブに基づいて印刷する印刷部および所定情報量以下の情報を表示する表示パネルを有する印刷装置とを備えた印刷システムであって、前記ジョブ生成装置は、外部記憶媒体が接続された場合に、前記外部記憶媒体に、生成した複数の印刷ジョブと、各印刷ジョブを特定する印刷ジョブ特定情報のうち、少なくとも印刷ジョブＩＤを含む情報を記憶させ、前記外部記憶媒体の接続が解除された場合に、前記印刷ジョブ特定情報を前記携帯端末に送信し、前記携帯端末は、前記ジョブ生成装置から送信された前記印刷ジョブ特定情報を表示する表示画面を備え、前記印刷装置は、外部記憶媒体が接続された場合に、前記外部記憶媒体に記憶された各印刷ジョブＩＤのうち、印刷ジョブＩＤを切り替え可能に前記表示パネルに表示させ、所定の印刷ジョブＩＤの印刷指示に基づいて、前記外部記憶媒体に記憶された前記所定の印刷ジョブの印刷を前記印刷部に実行させることにある。
【発明の効果】
【００１２】
本発明に係る印刷システムの第１の特徴によれば、まず、ジョブ生成装置が、外部記憶媒体が接続された場合に、外部記憶媒体に、生成した複数の印刷ジョブと、各印刷ジョブを特定する印刷ジョブ特定情報のうち、少なくとも印刷ジョブＩＤを含む情報を記憶させ、外部記憶媒体の接続が解除された場合に、印刷ジョブ特定情報を携帯端末に送信する。携帯端末は、ジョブ生成装置から送信された印刷ジョブ特定情報を表示する表示画面を備えている。また、印刷装置は、外部記憶媒体が接続された場合に、外部記憶媒体に記憶された各印刷ジョブＩＤのうち、印刷ジョブＩＤを切り替え可能に表示パネルに表示させ、所定の印刷ジョブＩＤの印刷指示に基づいて、外部記憶媒体に記憶された所定の印刷ジョブの印刷を印刷部に実行させる。
【００１３】
これにより、ユーザは、携帯端末に表示された印刷ジョブ特定情報を見ることにより、印刷対象の印刷ジョブの詳細な情報を知ることができる。そして、ユーザは、携帯端末に表示された印刷ジョブの詳細な情報を見ながら、表示パネルに表示される印刷ジョブＩＤを切り替える操作を行うことにより、印刷させたいジョブＩＤを選択し、印刷指示を行うことで、印刷させることができる。
【００１４】
このため、印刷装置の表示パネル上で、印刷ジョブＩＤしか表示されないような場合であっても、印刷処理を実行する印刷ジョブの詳細情報を把握することができる。
【図面の簡単な説明】
【００１５】
【図１】本発明の一実施例に係る印刷システムの構成を示す構成図である。
【図２】本発明の一実施例に係る印刷システムの印刷装置が備える操作部の一例を示した図である。
【図３】本発明の一実施例に係る印刷システムの端末による処理手順を示したフローチャートである。
【図４】本発明の一実施例に係る印刷システムの端末が備える表示部に表示された印刷設定画面の一例を示した図である。
【図５】本発明の一実施例に係る印刷システムの携帯端末が備える操作部に表示された画面例を示した図である。（ａ）は、ジョブ情報にサムネイル画像データが含まれていない場合の画面例であり、（ｂ）は、ジョブ情報にサムネイル画像データが含まれている場合の画面例である。
【図６】本発明の一実施例に係る印刷システムの変形例の携帯端末が備える操作部に表示された画面例を示した図である。（ａ）は、印刷ジョブ特定情報にサムネイル画像データが含まれていない場合の画面例であり、（ｂ）は、印刷ジョブ特定情報にサムネイル画像データが含まれている場合の画面例である。
【発明を実施するための形態】
【００１６】
以下、本発明の一実施例に係る印刷システムについて説明する。
【００１７】
図１は、本発明の一実施例に係る印刷システム１００の構成を示す構成図である。
【００１８】
図１に示すように、本発明の一実施例に係る印刷システム１００は、印刷ジョブ生成装置である端末１と、スマートフォンやＰＤＡ（Personal Digital Assistant）端末などの携帯端末２と、インクジェットプリンタなどの印刷装置３とを備えている。
【００１９】
端末１は、汎用のパーソナルコンピュータと同様であり、各種プログラムを実行するＣＰＵ１１と、メモリ１２と、各種プログラムを記憶したＨＤＤ１３と、液晶モニタ等の表示部１４と、キーボードやマウス等を備え各種ユーザ操作を受け付ける入力部１５と、ＵＳＢ（Universal Serial Bus）メモリ４と物理的に接続し、ＵＳＢメモリ４に印刷ジョブや印刷ジョブ特定情報や印刷設定情報などを記憶させたり、ＵＳＢメモリ４から印刷ジョブや印刷ジョブ特定情報や印刷設定情報などを読み出したりする接続部１６と、印刷ジョブ特定情報を携帯端末２へ無線送信する送信部１７とを備える。ここで、印刷ジョブ特定情報とは、ＵＳＢメモリ４に記憶された印刷ジョブを特定するための情報のことであり、例えば、印刷ジョブを一意に識別可能な印刷ジョブＩＤ、印刷ジョブ名、印刷ジョブが生成された日付、ユーザ名などの情報を含んでいる。
【００２０】
また、印刷設定情報とは、印刷装置３が印刷処理を実行する上で必要な設定情報であり、用紙サイズ情報や、片面両面設定情報や、印刷濃度情報などの情報を含んでいる。なお、印刷設定情報は、印刷ジョブ自体に含まれていても良い。
【００２１】
ここで、端末１のＨＤＤ１３には、オペレーショシステム（ＯＳ）の他に、画像データを生成するためのアプリケーション１３ａや、画像データを含む印刷ジョブと印刷ジョブ特定情報と印刷設定情報とを生成し、生成した印刷ジョブと印刷ジョブ特定情報と印刷設定情報とをＵＳＢメモリ４やメモリ１２に記憶させるためのプリンタドライバ１３ｂを記憶している。
【００２２】
即ち、ＣＰＵ１１が、アプリケーション１３ａを実行することにより画像データを生成し、プリンタドライバ１３ｂを実行すると共に、入力部１５からユーザ操作を受け付けることにより、生成した印刷ジョブと印刷ジョブ特定情報のうちの印刷ジョブＩＤと印刷設定情報とをＵＳＢメモリ４に記憶させると共に、印刷ジョブ特定情報をメモリ１２に記憶させる。なお、ここでは、ＣＰＵ１１は、印刷ジョブ特定情報のうち印刷ジョブＩＤのみをＵＳＢメモリ４に記憶させたが、これに限らず、印刷ジョブ特定情報の全てまたは一部をＵＳＢメモリ４に記憶させるようにしてもよい。
【００２３】
また、ＣＰＵ１１は、接続部１６からＵＳＢメモリ４の接続が解除された場合に、ＵＳＢメモリ４に記憶された印刷ジョブに関する情報として印刷ジョブ特定情報をメモリ１２から読み出し、読み出した印刷ジョブ特定情報を携帯端末２に送信する。
【００２４】
携帯端末２は、スマートフォンやＰＤＡ（Personal Digital Assistant）端末であり、各種プログラムを実行するＣＰＵ２１と、メモリ２２と、各種プログラムを記憶したＨＤＤ２３と、端末１から送信された印刷ジョブ特定情報を受信する受信部２４と、受信部２４により受信した印刷ジョブ特定情報を表示すると共に、ユーザの入力操作を受け付ける操作部２５とを備えている。
【００２５】
ここで、携帯端末２のＨＤＤ２３には、オペレーショシステム（ＯＳ）の他に、受信部２４により受信した印刷ジョブ特定情報を操作部２５に表示させるための表示プログラム２３ａが記憶されている。
【００２６】
即ち、ＣＰＵ２１が、表示プログラム２３ａを実行することにより、受信した印刷ジョブ特定情報に基づいて、操作部２５に、ジョブＩＤ、印刷ジョブ名、印刷ジョブが生成された日付などを一覧表示させることができる。
【００２７】
印刷装置３は、ネットワーク非対応型のインクジェットプリンタであり、各種プログラムを実行するＣＰＵ３１と、メモリ３２と、制御プログラム３３ａなどの各種プログラムを記憶したＨＤＤ３３と、印刷部３４と、操作部３５と、接続されたＵＳＢメモリ４から印刷ジョブ、印刷ジョブＩＤ、および印刷設定情報を読み出す接続部３６とを備えている。
【００２８】
印刷部３４は、操作部３５のユーザ操作に従って、接続部３６によりＵＳＢメモリ４から読み出された印刷ジョブおよび印刷設定情報に基づいて、例えば、インクジェットヘッドからシアン（Ｃ）、マゼンタ（Ｍ）、イエロー（Ｙ）、及びブラック（Ｋ）の合計４色のインクを吐出することにより、所定の寸法に切断された印刷媒体に対してカラー印刷を行う。
【００２９】
そして、印刷部３４は、印刷が完了すると、ＵＳＢメモリ４に記憶された印刷ジョブおよび印刷ジョブＩＤのうち、印刷が完了した印刷ジョブとこの印刷ジョブに関する印刷ジョブＩＤとを削除する。
【００３０】
操作部３５は、ユーザ操作を受け付ける各種キーと、７セグの表示パネルとを備えている。
【００３１】
図２は、本発明の一実施例に係る印刷システム１００の印刷装置３が備える操作部３５の一例を示した図である。
【００３２】
図２に示すように、操作部３５は、表示パネル１１０と、読み取りや印刷等を開始させるためのスタートキー１０１、読み取りや印刷等を停止させるためのストップキー１０２、印刷枚数等を入力するためのテンキー１０３等の各種操作キーとを備え、ユーザ操作に基づく操作信号をＣＰＵ３１に供給する。
【００３３】
表示パネル１１０は、低機能の廉価表示パネルの一種であり、７つのセグメントから構成された点灯部分を１個として横一列に４個配置されており、個別に点灯したり消灯したりすることで、４桁のアラビア数字や４文字のアルファベットの文字を表現することができる。
【００３４】
また、操作部３５は、ＵＳＢメモリ４に記憶された印刷ジョブが複数ある場合、すなわち、印刷ジョブＩＤが複数ある場合に、表示パネル１１０は、同時に複数の印刷ジョブＩＤを表示することができない。そこで、操作部３５には、表示パネル１１０に表示された文字を上方にスクロールするための上スクロールボタン１０４ａと、表示パネル１１０に表示された文字を下方にスクロールするための下スクロールボタン１０４ｂとが備えられている。
【００３５】
ＣＰＵ３１は、制御プログラム３３ａを実行することにより、ＵＳＢメモリ４が接続部３６に接続された場合に、ＵＳＢメモリ４に記憶された、印刷ジョブを一意に識別可能であり、かつ所定情報量以下、即ち、７つのセグメントが４個配列された点灯部分により表示可能な情報である印刷ジョブＩＤを表示パネル１１０に表示する。
【００３６】
この表示パネル１１０は、一般的な高解像度の液晶パネルに比較して、消費電力が小さく、製造コストも安いので廉価版の印刷装置に採用されることが多い。しかしながら、上述したように、表示パネル１１０は、４桁のアラビア数字や４文字のアルファベットで表現可能な印刷ジョブＩＤについては表示できるが、文字数や表示形式の制約により、印刷ジョブの印刷ジョブ名、印刷ジョブが生成された日付などを表示させることは困難である。
【００３７】
そこで、本発明の一実施例に係る印刷システム１００では、携帯端末２に、印刷ジョブのジョブＩＤ、印刷ジョブ名、印刷ジョブが生成された日付などを含む印刷ジョブ特定情報を表示させる。これにより、ユーザは、印刷装置３の操作部３５が備える表示パネル１１０に表示される印刷ジョブＩＤを見ると共に、携帯端末２の操作部２５に一覧表示された印刷ジョブＩＤ、印刷ジョブ名、印刷ジョブが生成された日付などを見ることにより、印刷装置３が印刷処理を実行する印刷ジョブを簡単に把握することができる。
【００３８】
また、ユーザが、上スクロールボタン１０４ａや下スクロールボタン１０４ｂを操作することにより、操作部３５は、表示パネル１１０に表示される印刷ジョブＩＤを切り替えて表示するので、ユーザは、印刷させたい印刷ジョブＩＤが表示パネル１１０に表示されているときに、スタートキー１０１を押下操作することにより、該当の印刷ジョブを選択し印刷させることができる。
【００３９】
図３は、本発明の一実施例に係る印刷システム１００の端末１による処理手順を示したフローチャートである。
【００４０】
図３に示すように、まず、端末１のＣＰＵ１１は、プリンタドライバ１３ｂを実行することにより、表示部１４に表示した印刷設定画面から、ユーザ操作により印刷ジョブのＵＳＢメモリ４への書込指示がされたか否かを判定する（ステップＳ１０１）。
【００４１】
図４は、本発明の一実施例に係る印刷システム１００の端末１が備える表示部１４に表示された印刷設定画面の一例を示した図である。
【００４２】
図４に示すように、印刷設定画面には、出力方法を指定するためのプルダウンメニュー２０１が設けられている。
【００４３】
ユーザは、入力部１５を用いて、プルダウンメニュー２０１をクリック操作することにより、出力メニューをプルダウンさせ、プルダウンされた出力メニューから、「ＵＳＢメモリ保存」２０３を選択して、「ＯＫ」ボタン２０５をクリック操作する。これにより、端末１のＣＰＵ１１は、印刷ジョブのＵＳＢメモリ４への書込指示がされたと判定する。
【００４４】
次に、端末１のＣＰＵ１１は、ＵＳＢメモリ４が接続部１６に接続されているか否かを判定する（ステップＳ１０３）。
【００４５】
ステップＳ１０３において、ＵＳＢメモリ４が接続部１６に接続されていないと判定された場合（ＮＯ）、端末１は、表示部１４に、例えば「ＵＳＢメモリが接続されていません。」などのエラー表示する（ステップＳ１０５）。
【００４６】
一方、ステップＳ１０３において、ＵＳＢメモリ４が接続部１６に接続されていると判定された場合（ＹＥＳ）、ＣＰＵ１１は、指定された画像データに基づいて印刷ジョブを生成し、この生成した印刷ジョブをＵＳＢメモリ４に書き出す（ステップＳ１０７）。
【００４７】
そして、ＣＰＵ１１は、ＵＳＢメモリ４に記憶している印刷ジョブＩＤに対し、ＵＳＢメモリ４に書き出した印刷ジョブに関する印刷ジョブＩＤを追加して更新すると共に、メモリ１２に記憶している印刷ジョブ特定情報に対し、ＵＳＢメモリ４に書き出した印刷ジョブに関する印刷ジョブ特定情報を追加して更新する（ステップＳ１０９）。これにより、ＵＳＢメモリ４に記憶された印刷ジョブに関する印刷ジョブおよび印刷ジョブＩＤを常に最新版に更新すると共に、メモリ１２に記憶された印刷ジョブ特定情報を常に最新版に更新して記憶することができる。
【００４８】
なお、ＵＳＢメモリ４に印刷ジョブＩＤ、印刷ジョブが記憶されていない場合には、単に記憶していくだけとなる。
【００４９】
次に、ＣＰＵ１１は、ＵＳＢメモリ４の接続が解除されたか否かを判定する（ステップＳ１１１）。
【００５０】
ステップＳ１１１において、ＵＳＢメモリ４の接続が解除されたと判定された場合（ＹＥＳ）、ＣＰＵ１１は、送信部１７から無線通信により、メモリ１２に記憶した印刷ジョブ特定情報を携帯端末２へ送信する（ステップＳ１１５）。これにより、携帯端末２は、受信した印刷ジョブ特定情報に基づいて、操作部２５に、ジョブＩＤ、印刷ジョブ名、印刷ジョブが生成された日付などを表示させるので、ユーザは、この印刷ジョブ特定情報を見ることにより、印刷装置３が印刷処理を実行する印刷ジョブを簡単に把握することができる。
【００５１】
一方、ステップＳ１１１において、ＵＳＢメモリ４の接続が解除されず（ＮＯ）、ステップＳ１０９で印刷ジョブ特定情報が更新されてから所定時間が経過したと判定されると（ステップＳ１１３；ＹＥＳ）、ユーザは印刷する意志がないと推測できるので、ＣＰＵ１１は、処理を終了する。
【００５２】
また、ステップＳ１１１において、ＵＳＢメモリ４の接続が解除されず（ＮＯ）、ステップＳ１０９で印刷ジョブ特定情報が更新されてから所定時間が経過していないと判定された場合（ステップＳ１１３；ＮＯ）、処理をステップＳ１１１に戻す。これにより、ＣＰＵ１１は、ステップＳ１１１において“ＹＥＳ”と判定されるか、またはステップＳ１１３において“ＹＥＳ”と判定されるまで、ステップＳ１１１，Ｓ１１３の処理を繰り返し実行するので、ＣＰＵ１１は、印刷ジョブ特定情報が更新されてから所定時間が経過するまで、ＵＳＢメモリ４の接続が解除されたか否かを監視することができる。
【００５３】
図５は、本発明の一実施例に係る印刷システム１００の携帯端末２が備える操作部２５に表示された画面例を示した図である。（ａ）は、印刷ジョブ特定情報にサムネイル画像データが含まれていない場合の画面例であり、（ｂ）は、印刷ジョブ特定情報にサムネイル画像データが含まれている場合の画面例である。
【００５４】
図５（ａ）に示すように、携帯端末２が備える操作部２５に表示された画面には、印刷ジョブ毎に印刷ジョブ特定情報を一覧表示する一覧表示領域３００が設けられている。ここでは、一覧表示領域３００に、印刷ジョブ３０１，３０２，３０３に関する印刷ジョブ特定情報が表示されている。
【００５５】
例えば、印刷ジョブ３０１の印刷ジョブ特定情報として、ジョブＩＤ（符号３１０）である「Ｊ００１」と、印刷ジョブ名３１１である「ＦＡＸ送付状．ｄｏｃ」と、印刷ジョブが生成された日付３１２である「2013/12/1」が表示されている。同様に、印刷ジョブ３０２の印刷ジョブ特定情報として、ジョブＩＤ（符号３２０）である「Ｊ００２」と、印刷ジョブ名３２１である「第３会議資料．ｄｏｃ」と、印刷ジョブが生成された日付３２２である「2013/12/1」が表示されており、印刷ジョブ３０３の印刷ジョブ特定情報として、ジョブＩＤ（符号３３０）である「Ｊ００３」と、印刷ジョブ名３３１である「月報（１２月）．ｄｏｃ」と、印刷ジョブが生成された日付３３２である「2013/12/1」が表示されている。
【００５６】
また、画面に表示された印刷ジョブ特定情報を削除するための表示クリアボタン５０１が設けられている。
【００５７】
そして、印刷させたいジョブＩＤが、印刷装置３の表示パネル１１０に表示されると、ユーザは、印刷装置３の操作部３５から、該当の印刷ジョブＩＤを選択して印刷装置３に印刷させる。印刷が完了すると、印刷装置３は、印刷が完了した印刷ジョブ及び印刷設定情報を、ＵＳＢメモリ１４から消去する。
【００５８】
ここで、携帯端末２が備える操作部２５の画面には、印刷ジョブ毎に印刷ジョブ特定情報が一覧表示されているので、印刷装置３により全ての印刷ジョブの印刷が完了すると、携帯端末２の印刷ジョブ特定情報を消去する必要がある。
【００５９】
そこで、ユーザは、印刷装置３に記憶された印刷ジョブと携帯端末２が備える操作部２５の画面に表示された印刷ジョブ特定情報とを一致させるために、操作部２５の画面から、表示クリアボタン５０１をタッチ操作して携帯端末２から印刷ジョブ特定情報を消去させる。
【００６０】
これにより、印刷装置３により印刷された印刷ジョブと、携帯端末２の操作部２５に表示される印刷ジョブとを一致させることができる。
【００６１】
なお、図５（ａ）に示した例では、印刷ジョブの印刷ジョブ特定情報として、ジョブＩＤと、印刷ジョブ名と、印刷ジョブが生成された日とを表示パネル１１０に表示させたが、表示させる印刷ジョブ特定情報は、これに限らない。
【００６２】
例えば、図５（ｂ）に示すように、操作部２５の一覧表示領域３００には、ジョブＩＤ、印刷ジョブ名、印刷ジョブが生成された日付の他に、サムネイル画像を表示させることができる。
【００６３】
例えば、端末１が、ジョブＩＤ、印刷ジョブ名、印刷ジョブが生成された日付、ユーザ名に加え、印刷ジョブの１ページ目の画像のサムネイル画像を印刷ジョブ特定情報として生成する。
【００６４】
そして、携帯端末２が、操作部２５の一覧表示領域３００に、ジョブＩＤ、印刷ジョブ名、印刷ジョブが生成された日付の他に、サムネイル画像を表示させる。
【００６５】
図５（ｂ）に示した例では、印刷ジョブ３０１の印刷ジョブ特定情報として、ジョブＩＤ（符号３１０）である「Ｊ００１」と、印刷ジョブ名３１１である「ＦＡＸ送付状．ｄｏｃ」と、印刷ジョブが生成された日付３１２である「2013/12/1」とに加え、「ＦＡＸ送付状．ｄｏｃ」の１枚目のサムネイル画像であるサムネイル４１１が表示されている。同様に、同様に、印刷ジョブ３０２の印刷ジョブ特定情報として、「第３会議資料．ｄｏｃ」の１枚目のサムネイル画像であるサムネイル４２１が表示され、印刷ジョブ３０３のジョブ情報として、「月報（１２月）．ｄｏｃ」の１枚目のサムネイル画像であるサムネイル４３１が表示されている。
【００６６】
これにより、ユーザは、印刷装置３の操作部３５が備える表示パネル１１０に表示されるジョブＩＤを見ると共に、携帯端末２の操作部２５に一覧表示されたジョブＩＤ、印刷ジョブ名、印刷ジョブが生成された日付、サムネイル画像などを見ることができるので、印刷装置３が印刷処理を実行する印刷ジョブを、より簡単に把握することができる。
【００６７】
なお、印刷部３４は、印刷が完了すると、ＵＳＢメモリ４に記憶された印刷ジョブおよび印刷設定情報のうち、印刷が完了した印刷ジョブと印刷設定情報とを削除したが、これに限らず、削除しなくてもよい。
【００６８】
＜本発明の一実施例に係る印刷システム１００の変形例＞
本発明の一実施例では、操作部２５の画面に印刷ジョブ特定情報を表示させる印刷システム１００を例として説明したが、表示させるのみならず、操作を受け付けるようにしてもよい。
【００６９】
本発明の一実施例に係る印刷システム１００の変形例では、ネットワーク対応型の印刷装置３を備えており、ユーザが、携帯端末２の操作部２５の画面に表示された印刷ジョブ特定情報を削除する操作を行うことにより、ネットワークを介して、この削除操作された印刷ジョブ特定情報に対応する印刷ジョブを印刷装置３から削除する。
【００７０】
図６は、本発明の一実施例に係る印刷システム１００の変形例の携帯端末２が備える操作部２５に表示された画面例を示した図である。（ａ）は、印刷ジョブ特定情報にサムネイル画像データが含まれていない場合の画面例であり、（ｂ）は、印刷ジョブ特定情報にサムネイル画像データが含まれている場合の画面例である。
【００７１】
図６（ａ）に示すように、携帯端末２が備える操作部２５に表示された画面には、印刷ジョブを毎に印刷ジョブ特定情報を一覧表示する一覧表示領域３００が設けられている。
【００７２】
また、操作部２５に表示された画面には、印刷ジョブ３０１を選択するためのチェックボックス３１３と、印刷ジョブ３０２を選択するためのチェックボックス３２３と、印刷ジョブ３０３を選択するためのチェックボックス３３３と、全ての印刷ジョブを選択する全選択チェックボックス３０４と、選択された印刷ジョブを削除するための削除ボタン３０５とが設けられている。
【００７３】
ユーザは、操作部２５に表示された印刷ジョブ特定情報のうち、削除したい印刷ジョブに対応する印刷ジョブ特定情報のチェックボックスを選択操作し、削除ボタン３０５をタッチ操作すると、携帯端末２は、選択された印刷ジョブの削除指令をネットワークを介して印刷装置３へ送信する。そして、印刷装置３は、受信した削除指令に基づいて印刷ジョブを削除する。
【００７４】
これにより、ユーザは、携帯端末２から印刷装置３の印刷ジョブを削除することができる。
【００７５】
なお、図６（ｂ）に示すように、本発明の一実施例に係る印刷システム１００の変形例の携帯端末２が備える操作部２５に表示された画面は、図５（ｂ）に示した画面と同様に、ジョブＩＤ、印刷ジョブ名、印刷ジョブが生成された日付の他に、サムネイル画像を表示させるようにしてもよい。
【００７６】
この場合においても、図６（ａ）と同様に、ユーザが操作部２５に表示された印刷ジョブ特定情報のうち、削除したい印刷ジョブに対応する印刷ジョブ特定情報のチェックボックスを選択操作し、削除ボタン３０５をタッチ操作することにより、印刷装置３の印刷ジョブを削除することができる。
【００７７】
なお、ユーザが携帯端末２の操作部２５から指示可能な操作は、削除操作に限らない。
【００７８】
図示しないが、操作部２５に表示された画面に、印刷装置３に印刷を開始させるためのスタートボタンや、印刷装置３に印刷を停止させるためのストップボタンを設け、携帯端末２は、ユーザのタッチ操作に基づいた操作指令をネットワークを介して印刷装置３へ送信し、印刷装置３は、受信した操作指令に基づいて動作するようにしてもよい。
【符号の説明】
【００７９】
１…端末（ジョブ生成装置）
２…携帯端末
３…印刷装置
４…ＵＳＢメモリ（外部記憶媒体）
１１…ＣＰＵ
１２…メモリ（内部記憶媒体）
１３…ＨＤＤ
１４…表示部
１５…入力部
１６…接続部
１７…送信部
２１…ＣＰＵ
２２…メモリ
２３…ＨＤＤ
２４…受信部
２５…操作部
３１…ＣＰＵ
３２…メモリ
３３…ＨＤＤ
３３ａ…制御プログラム
３４…印刷部
３５…操作部
３６…接続部
１００…印刷システム
【図１】
2015122028.tif 000003
【図２】
2015122028.tif 000004
【図３】
2015122028.tif 000005
【図４】
2015122028.tif 000006
【図５】
2015122028.tif 000007
【図６】
2015122028.tif 000008